(57)【要約】  使用中、その上に立っている使用者の両足を支持するように構成される平坦な表面の電子楽器が提供される。装置によって支持されて、立っている使用者は、使用者の足の平坦な表面との接点から発する振動に相関する電子信号を発生させる電子信号発生部品と動作可能に接触する平坦な上面との片足または両足の接触によって、ドラムなどの音を発生できる。【選択図】図１
2015520874.tif 000002
【特許請求の範囲】
【請求項１】
音響発生装置において、
サポート面上への配置に適合する基底表面の反対側に平坦な表面を有する本体と、
前記平坦な表面と振動伝達する少なくとも１つの信号発生部品とを備え、
前記平坦な表面が、前記平坦な表面の第１の部分で支持される静止位置に、両足で使用される姿勢で使用者がその上に立っている間、前記使用者の重量に耐えるように構成され、
前記信号発生部品が、前記両足のいずれかの前記平坦な表面との接触からの振動を、電子信号に変換し、
前記音響発生装置が、前記電子信号に相関する楽音を作成するための電子音発生システムに前記電子信号を伝えることに適合し、前記使用される姿勢の前記使用者は、前記平坦な表面に対して前記両足の一方をタップすることで、前記接触を前記平坦な表面に与えることによって、または、そうでない場合、前記静止位置から前記両足の一方の全体または一部を持ち上げ、続いて、前記接触を前記平坦な表面に与えることによって、前記楽音を発生させてもよい、ことを特徴とする音響発生装置。
【請求項２】
請求項１に記載の音響発生装置において、
前記両足の、または、前記両足の一方にそれぞれ係合する一足の靴の、すべての底面全体で接触する大きさの前記平坦な表面の前記第１の部分の長さをさらに備える、ことを特徴とする音響発生装置。
【請求項３】
請求項２に記載の音響発生装置において、
８〜１５インチである、前記平坦な表面の前記第１の部分の前記長さをさらに備える、ことを特徴とする音響発生装置。
【請求項４】
請求項２に記載の音響発生装置において、
前記平坦な表面の前記第１の部分を囲み、前記平坦な表面の外周縁に伸長する外周縁部をさらに備え、
前記外周縁部が、前方、後方、および前記両足のそれぞれの片側に配置される、二次的な接触面を定義し、
前記二次的な接触面が、前記静止位置から横に間隔をあける前記両足の前記一方の前記接触を受けるように配置される、ことを特徴とする音響発生装置。
【請求項５】
請求項３に記載の音響発生装置において、
前記平坦な表面の前記第１の部分を囲み、前記平坦な表面の外周縁に伸長する外周縁部をさらに備え、
前記外周縁部が、前方、後方、および前記両足のそれぞれの片側に配置される、二次的な接触面を定義し、
前記二次的な接触面が、前記静止位置から横に間隔をあける前記両足の前記一方の前記接触を受けるように配置される、ことを特徴とする音響発生装置。
【請求項６】
請求項５に記載の音響発生装置において、
前記平坦な表面の前記第１の部分と前記外周縁との間の距離を伸長する外周縁部をさらに備え、前記距離が４〜６インチである、ことを特徴とする音響発生装置。
【請求項７】
請求項１に記載の音響発生装置において、
複数の前記信号発生部品と、
前記両足の第１から前記接触を受ける前記平坦な表面の第１の部分との前記振動伝達の切り離された位置に配置される前記複数の信号発生部品の第１の部分と、
前記両足の第２から前記接触を受ける前記平坦な表面の第２の部分との前記振動伝達の前記切り離された位置に配置される前記複数の信号発生部品の第２の部分とをさらに備え、
前記複数の信号発生部品の前記第１の部分が、前記両足の前記第１の前記接触によって発生する振動を、第１の前記電子信号に変換し、
前記複数の信号発生部品の前記第２の部分が、前記両足の前記第２の前記接触によって発生する振動を、第２の前記電子信号に変換し、
前記音響発生装置が、前記第１の電子信号および前記第２の電子信号を前記電子音発生システムに伝えること、前記第１の電子信号に相関する第１の楽音を作成すること、および、前記第２の電子信号に相関する第２の楽音を作成することに適合し、
前記使用者は、前記両足の前記第１で前記接触を前記平坦な表面に与えることによって、前記第１の楽音を発生させることができ、前記使用者は、前記両足の前記第２による、前記平坦な表面への前記接触で前記第２の楽音を発生させることができる、ことを特徴とする音響発生装置。
【請求項８】
請求項４に記載の音響発生装置において、
複数の前記信号発生部品と、
前記両足の第１から前記接触を受ける前記平坦な表面の第１の部分との前記振動伝達の切り離された位置に配置される前記複数の信号発生部品の第１の部分と、
前記両足の第２から前記接触を受ける前記平坦な表面の第２の部分との前記振動伝達の前記切り離された位置に配置される前記複数の信号発生部品の第２の部分とをさらに備え、
前記複数の信号発生部品の前記第１の部分が、前記両足の前記第１の前記接触によって発生する振動を、第１の前記電子信号に変換し、
前記複数の信号発生部品の前記第２の部分が、前記両足の前記第２の前記接触によって発生する振動を、第２の前記電子信号に変換し、
前記音響発生装置が、前記第１の電子信号および前記第２の電子信号を前記電子音発生システムに伝えること、前記第１の電子信号に相関する第１の楽音を作成すること、および、前記第２の電子信号に相関する第２の楽音を作成することに適合し、
前記使用者は、前記両足の前記第１で前記接触を前記平坦な表面に与えることによって、前記第１の楽音を発生させることができ、前記使用者は、前記両足の前記第２による、前記平坦な表面への前記接触で前記第２の楽音を発生させることができる、ことを特徴とする音響発生装置。
【請求項９】
請求項５に記載の音響発生装置において、
複数の前記信号発生部品と、
前記両足の第１から前記接触を受ける前記平坦な表面の第１の部分との前記振動伝達の切り離された位置に配置される前記複数の信号発生部品の第１の部分と、
前記両足の第２から前記接触を受ける前記平坦な表面の第２の部分との前記振動伝達の前記切り離された位置に配置される前記複数の信号発生部品の第２の部分とをさらに備え、
前記複数の信号発生部品の前記第１の部分が、前記両足の前記第１の前記接触によって発生する振動を、第１の前記電子信号に変換し、
前記複数の信号発生部品の前記第２の部分が、前記両足の前記第２の前記接触によって発生する振動を、第２の前記電子信号に変換し、
前記音響発生装置が、前記第１の電子信号および前記第２の電子信号を前記電子音発生システムに伝えること、前記第１の電子信号に相関する第１の楽音を作成すること、および、前記第２の電子信号に相関する第２の楽音を作成することに適合し、
前記使用者は、前記両足の前記第１で前記接触を前記平坦な表面に与えることによって、前記第１の楽音を発生させることができ、前記使用者は、前記両足の前記第２による、前記平坦な表面への前記接触で前記第２の楽音を発生させることができる、
ことを特徴とする音響発生装置。
【請求項１０】
請求項６に記載の音響発生装置において、
複数の前記信号発生部品と、
前記両足の第１から前記接触を受ける前記平坦な表面の第１の部分との前記振動伝達の切り離された位置に配置される前記複数の信号発生部品の第１の部分と、
前記両足の第２から前記接触を受ける前記平坦な表面の第２の部分との前記振動伝達の前記切り離された位置に配置される前記複数の信号発生部品の第２の部分とをさらに備え、
前記複数の信号発生部品の前記第１の部分が、前記両足の前記第１の前記接触によって発生する振動を、第１の前記電子信号に変換し、
前記複数の信号発生部品の前記第２の部分が、前記両足の前記第２の前記接触によって発生する振動を、第２の前記電子信号に変換し、
前記音響発生装置が、前記第１の電子信号および前記第２の電子信号を前記電子音発生システムに伝えること、前記第１の電子信号に相関する第１の楽音を作成すること、および、前記第２の電子信号に相関する第２の楽音を作成することに適合し、
前記使用者は、前記両足の前記第１で前記接触を前記平坦な表面に与えることによって、前記第１の楽音を発生させることができ、前記使用者は、前記両足の前記第２による、前記平坦な表面への前記接触で前記第２の楽音を発生させることができる、ことを特徴とする音響発生装置。
【請求項１１】
請求項７に記載の音響発生装置において、前記切り離された位置が、
前記平坦な表面と前記基底表面との間に配置される基底部品であって、
前記複数の信号発生部品の前記第１の部分が、前記基底部品の第１の区域に配置され、
前記複数の信号発生部品の前記第２の部分が、前記基底部品の第２の区域に配置される、基底部品と
前記第１の区域と前記第２の区域との間に配置される分離とを備える、ことを特徴とする音響発生装置。
【請求項１２】
請求項８に記載の音響発生装置において、前記切り離された位置が、
前記平坦な表面と前記基底表面との間に配置される基底部品であって、
前記複数の信号発生部品の前記第１の部分が、前記基底部品の第１の区域に配置され、
前記複数の信号発生部品の前記第２の部分が、前記基底部品の第２の区域に配置される、基底部品と、
前記第１の区域と前記第２の区域との間に配置される分離とを備える、
ことを特徴とする音響発生装置。
【請求項１３】
請求項１１に記載の音響発生装置において、
前記分離に配置される制振材をさらに備えることを特徴とする音響発生装置。
【請求項１４】
請求項１２に記載の音響発生装置において、
前記分離に配置される制振材をさらに備えることを特徴とする音響発生装置。
【請求項１５】
請求項１３に記載の音響発生装置において、
第１の部分および第２の部分から形成される前記平坦な表面と、
前記平坦な表面の前記第２の部分から分離されている前記平坦な表面の前記第１の部分とをさらに備え、前記平坦な表面の前記第１の部分から発する前記振動は、前記平坦な表面の前記第２の部分への伝達から切り離され、
前記平坦な表面の前記第２の部分から発する前記振動は、前記平坦な表面の前記第１の部分への伝達から切り離される、ことを特徴とする音響発生装置。
【請求項１６】
請求項１４に記載の音響発生装置において、
第１の部分および第２の部分から形成される前記平坦な表面と、
前記平坦な表面の前記第２の部分から分離されている前記平坦な表面の前記第１の部分とをさらに備え、
前記平坦な表面の前記第１の部分から発する前記振動は、前記平坦な表面の前記第２の部分への伝達から切り離され、
前記平坦な表面の前記第２の部分から発する前記振動は、前記平坦な表面の前記第１の部分への伝達から切り離される、
ことを特徴とする音響発生装置。
【請求項１７】
請求項７に記載の音響発生装置において、
前記両足の前記第１のつま先端部からの前記接触を受ける前部を有し、両足の前記第１のかかと端部からの前記接触を受ける後部を有する前記平坦な表面の前記第１の部分と、
前記両足の前記第１の前記つま先端部からの前記接触からの振動を、前記第１の電子信号に変換する前記複数の信号発生部品の前記第１の部分と、
両足の前記第１の前記かかと端部による前記接触からの振動を、第３の前記電子信号に変換する前記複数の信号発生部品の前記第１の部分と、
前記両足の前記第２のつま先端部からの前記接触を受ける前部を有し、両足の前記第２のかかと端部からの前記接触を受ける後部を有する前記平坦な表面の前記第２の部分と、
前記両足の前記第２の前記つま先端部からの接触からの振動を、前記第２の電子信号に変換する前記複数の信号発生部品の前記第２の部分と、
両足の前記第２の前記かかと端部からの前記接触からの振動を、第４の前記電子信号に変換する前記複数の信号発生部品の前記第２の部分と、
前記第１の電子信号および前記第２の電子信号および前記第３の電子信号および前記第４の電子信号を前記電子音発生システムに伝えること、前記第１の電子信号に相関する第１の楽音を作成すること、および前記第２の電子信号に相関する第２の楽音を作成すること、ならびに、前記第３の電子信号に相関する第３の楽音を作成すること、および第４の電子信号に相関する第４の楽音を作成することに適合する前記音響発生装置とをさらに備え、
前記使用者が、前記平坦な表面との、両足の前記第１または両足の前記第２の前記接触によって、任意の前記第１、第２、第３、または第４の楽音を発生できる、
ことを特徴とする音響発生装置。
【請求項１８】
請求項８に記載の音響発生装置において、
前記両足の前記第１のつま先端部からの前記接触を受ける前部を有し、両足の前記第１のかかと端部からの前記接触を受ける後部を有する前記平坦な表面の前記第１の部分と、
前記両足の前記第１の前記つま先端部からの振動を、前記第１の電子信号に変換する前記複数の信号発生部品の前記第１の部分と、
両足の前記第１の前記かかと端部による前記接触からの振動を、第３の前記電子信号に変換する前記複数の信号発生部品の前記第１の部分と、
前記両足の前記第２のつま先端部からの前記接触を受ける前部を有し、両足の前記第２のかかと端部からの前記接触を受ける後部を有する前記平坦な表面の前記第２の部分と、
前記両足の前記第２の前記つま先端部からの振動を、前記第２の電子信号に変換する前記複数の信号発生部品の前記第２の部分と、
両足の前記第２の前記かかと端部による前記接触からの振動を、第４の前記電子信号に変換する前記複数の信号発生部品の前記第２の部分と、
前記第１の電子信号および前記第２の電子信号および前記第３の電子信号および前記第４の電子信号を前記電子音発生システムに伝えること、前記第１の電子信号に相関する第１の楽音を作成すること、および前記第２の電子信号に相関する第２の楽音を作成すること、ならびに、前記第３の電子信号に相関する第３の楽音を作成すること、および第４の電子信号に相関する第４の楽音を作成することに適合する前記音響発生装置とをさらに備え、
前記使用者が、前記平坦な表面との、両足の前記第１または両足の前記第２の前記接触によって、任意の前記第１、第２、第３、または第４の楽音を発生できる、
ことを特徴とする音響発生装置。
【請求項１９】
請求項９に記載の音響発生装置において、
前記両足の前記第１のつま先端部からの前記接触を受ける前部を有し、前記両足の前記第１のかかと端部からの前記接触を受ける後部を有する前記平坦な表面の前記第１の部分と、
前記両足の前記第１の前記つま先端部からの振動を、前記第１の電子信号に変換する前記複数の信号発生部品の前記第１の部分と、
前記両足の前記第１の前記かかと端部による前記接触からの振動を、第３の前記電子信号に変換する前記複数の信号発生部品の前記第１の部分と、
前記両足の前記第２のつま先端部からの前記接触を受ける前部を有し、両足の前記第２のかかと端部からの前記接触を受ける後部を有する前記平坦な表面の前記第２の部分と、
前記両足の前記第２の前記つま先端部からの振動を、前記第２の電子信号に変換する前記複数の信号発生部品の前記第２の部分と、
両足の前記第２の前記かかと端部による前記接触からの振動を、第４の前記電子信号に変換する前記複数の信号発生部品の前記第２の部分と、
前記第１の電子信号および前記第２の電子信号および前記第３の電子信号および前記第４の電子信号を前記電子音発生システムに伝えること、前記第１の電子信号に相関する第１の楽音を作成すること、および前記第２の電子信号に相関する第２の楽音を作成すること、ならびに、前記第３の電子信号に相関する第３の楽音を作成すること、および第４の電子信号に相関する第４の楽音を作成することに適合する前記音響発生装置とをさらに備え、
前記使用者が、前記平坦な表面との、両足の前記第１または両足の前記第２の前記接触によって、任意の前記第１、第２、第３、または第４の楽音を発生できる、
ことを特徴とする音響発生装置。
【発明の詳細な説明】
【技術分野】
【０００１】
本出願は、２０１２年５月２１日に出願された米国仮特許出願第６１／６８８，８３６号明細書、および２０１３年５月２１日に出願された米国非仮特許出願第１３／８９９，４２３号明細書の優先権を主張し、これら両方の出願は、参照によりその全体が本出願に組み込まれる。
【０００２】
本装置は、楽器および打楽器に関するものである。より詳細には、開示の装置および方法は、使用者の両足を同時に支持するように構成される平坦な表面の電子楽器に関するものであり、使用者の片足または両足が平坦な表面に衝撃を与えるときに、電子信号を発生させる１つまたは複数のセンサあるいは電子信号発生部品を使用して、ドラムなどの音を発生させるために使用可能である。本明細書の装置を動作可能に使用して、使用者は、片足または両足で、同時または単独で、立った姿勢または座った姿勢で、音楽を発生させることができる。
【背景技術】
【０００３】
生の音楽演奏を行っている芸能人は、音楽家のグループにおいてそれを行うことが多い。グループの設定において、それぞれは、音楽の一部を発生させるために演奏する機器を有する。たいていの場合、特にダンスがある場合、このようなグループは、観衆が生演奏で期待するリズムおよびビートを提供するためにドラマーを有する。
【０００４】
さらに、多くの音楽家は、足をリズムにあわせてタップまたは動かしながら、機器を演奏する。足および脚によるこのような体の動きは、実際、演奏している、または聞いている音楽とともに、音楽にあわせて足をタップし、脚を動かす音楽家および非音楽家の間で同様に一般的である。本発明は、音楽を生成するための、人々のこの伴奏および計時運動を可能にする手段を提供する。
【０００５】
生の音楽演奏において、１人がドラマーである複数の音楽家は、期待されるビートおよびパーカッションを容易に実現することができる一方、伴奏するドラマーのいない単独の音楽家は困る。ギター、ボーカル、およびその他の旋律的な機器が心地よい音を有して、演奏のために組み合わせることができる一方、ドラムのない多くの個人およびより小さな音楽グループは、観衆のための大きい、存在感のある、リズミカルなパーカッションの律動およびビートを必要とする特定の音楽会場で演奏することは、多くの場合、不可能である。本発明により、演奏者がパーカッションにより自分自身で伴奏をすることが可能になることで、この苦境を乗り越え、同時に、手で二次的な機器を演奏する。
【０００６】
単独のアーティストおよび小さなグループは、ドラムマシン、またはグループが伴奏をする増幅された音楽とともに記録されたドラムトラックを使用する可能性があるが、このシナリオには多くの問題がある。第１に、多くの観衆は、本物のドラマーがいないことによって、単純にしらけてしまう。これは、ライブの観衆は特定の歌が演奏されることを要求し、それは必ずしも実際の順序通りとは限らないためである。したがって、記録されたドラムを使用するグループまたはバンドにとっては、たとえ行うにしても、そのような通常とは異なる演奏を予想して収録し、記録されたトラックを正確に電子メモリから組み込むことは困難である。
【０００７】
従来技術の不足を補う試みは、たとえば、米国特許第４，４７９，４１２号明細書に開示される種類の電子ドラムマシンで提示されている。従来、このような装置が、記憶された打楽器的な音のサンプルまたはディジタル記録を再生する。しかし、このような装置を、単一の演奏者による生の演奏で使用することは、多くの場合、非現実的であり、それは、通常、使用者は操作のために手を使用することが必要なためである。さらに、このような装置はあらかじめ録音してあるドラムの音を使用するため、音楽家が望んだときにすぐにテンポを調整できるだけの柔軟性を与えず、演奏者がパフォーマンス中に、自然にリズム記号または楽曲の選択を変えることもできない。さらに、自らの手で機器を演奏している演奏者は、テンポまたはリズム指示の変更、あるいは、ドラムマシンの音の変更のために、同時に手を使用することができない。よって、手で操作する機器を演奏する音楽家が、自身の生の音楽に打楽器音を含めることを可能にする音楽の装置に関して、満たされない要求が存在する。使用されるとき、このような機器または装置は、欲求または必要性が生じた場合に、演奏されている生の音楽に合わせて打撃音を作成しなければならないだけでなく、パフォーマンス中の瞬時のテンポ調整、あるいはリズム記号および／または楽曲選択の自然な変更も可能でなければならない。最後に、このような機器は、アーティストがすでに演奏している機器から、手を離すまたは移動することが必要ない方法で、従来技術のこれらの著しい不足に対する解決策を提供しなければならない。
【０００８】
従来技術の上述の例およびそれに関連する制約は、例示を意図したものであって、限定を意図したものではなく、本明細書で記載および請求される本発明への限定を意味しない。従来技術のさまざまな制約は、以下の明細書および添付図面を読んで理解することにより、当業者にとって明らかとなるであろう。
【発明の概要】
【０００９】
最も自然でリズミカルな計時動作の１つである、足のタップを可能とし、音楽の伴奏の容易な生成を可能とすることが、本発明の目的である。
【００１０】
片足のタップにより、２本の足の他方をタップせずに、異なる機器からの音の作成を可能とすることが、本発明の追加の目的である。
【００１１】
形状が平坦で、床面を再現していて、立っているまたは座っている自然な姿勢で、ほぼ水平な両足で表面上に位置する使用者の全重量を受け入れるように構造的に構成される楽器を提供し、平坦な表面が衝撃を受けたとき、装置から発する音を増幅および変更することが、本発明の別の目的である。
【課題を解決するための手段】
【００１２】
本発明の目的によると、本明細書に示され、広く記載されるように、本発明は、手動機器で音楽を演奏している音楽家に、同時発生のドラムおよび打撃音を発生させる手段を提供し、それは、音楽家の重量を支持するのに適した平坦な表面上における足のタップによって、音楽のための伴奏を生成する。
【００１３】
開示の装置は、打楽器的な作動および伝送表面を使用し、十分に広い寸法で、装置の平坦な表面上において両足で伝えられる使用者の全重量を支持するだけ頑丈である。平坦な表面は、使用者が、使用される静止位置において、平坦な表面と完全に接触する両足でその上に安全および快適に立つことが可能な大きさである。使用者の足によって占められる中央領域を囲む環状リングまたは外周領域においても、十分に平坦な表面が提供され、使用者には、中央領域における各足の最初のそれぞれの足位置から前後左右に動くことができる、相当な範囲がもたらされる。中央領域および外周のこの措置により、中央領域にいる間、使用者は、足底部全体が平坦な表面との完全な接触を維持することができること、および、中央領域または外周領域において、個人のスタイルおよび体の動きに応じて、平坦な表面上でタップすることができ、バランスを維持できることが保証される。
【００１４】
装置の主要な方式において、平坦な作動表面の音響特性として、使用者の片足または両足によって発生する音響振動は、平坦な表面に衝撃を与え、平坦な表面と通信するように動作可能に配置される１つまたは複数の電子信号発生部品に、装置を通して効率的に伝達される。装置のこの最も単純な方式において、１つの機器だけが、足のタップまたは平坦な表面との同様の接触によって作動している、中央および外周領域で使用者を乗せることができる大きさの平坦な表面では、片足または両足で装置を作動させるために、正確な足の位置または衝撃は必要ない。片足が音響を作動させ、他方の足が独立した別個の音響を作動させることができる、たとえば２種類のドラムの装置の方式において、音響の分離は、それぞれ左右両側の下にある電子信号発生部品の中間に減衰材を配置することによって実現できる。２つ以上の異なる機器または機器タイプが作動している方式においては、いくぶん、より正確なタップが必要とされることがあり、平坦な表面の外周領域は、より多く、より速い動きを可能とし、その間の平坦な表面との接触を確実なものとするために増加されてもよい。
【００１５】
装置の好ましい形態において、１つまたは複数の変換器のような電子信号発生部品は、平坦な表面の下の位置で、装置に動作可能に取り付けられるか、使用者による足の接触および作動のために使用されるほぼ平坦な表面に組み込まれる。そのように配置される変換器は、平坦な作動表面に接触する使用者の足の音響および振動エネルギーを捕捉して、さらなる伝送および操作のために好適な電子信号に変換する。これらの変換器の出力は、一緒にまとめられてもよく、または、独立して処理されてもよい。
【００１６】
装置は、使用者が、装置をオン、オフする、さまざまな音および作動方式を選択するなどの、さまざまな操作を行うことができる、１つまたは複数の電子制御機能を含んでもよい。さらに、ビデオ表示部品またはタッチスクリーンが、作動方式および／または装置のステータスを使用者が確認するための視覚的な手段として、および、作動方式を選択する補助として装置内または装置上に含まれてもよい。
【００１７】
装置の好ましい方式において、使用者が、変換器またはその他の信号発生器出力の望ましく、有用な操作を行うことができる、信号処理および処理段階の提供に適した電子部品が提供される。そのような機能は、足が平坦な表面またはその他のスプリアス源と接触するときの、不注意な使用者の動作によって作成される音響振動が抑えられるように、ノイズ低減または信号しきい値制限でもよい。別のこのような機能は、アナログ音響システムへの最適入力のために、変換器出力振幅または周波数スペクトルを調整するためのものであってもよい。別のこのような機能は、楽器用ディジタルインターフェイス（ＭＩＤＩ）および／またはディジタル波形発生装置への入力のために、変換器出力をアナログからディジタルに変換するためのものであってもよい。さらなるこのような機能は、平坦な表面との接触の速度、およびその結果として生じる信号発生装置の出力電圧に基づく、音の変更および出力音量の制御でもよい。
【００１８】
ディジタル的に合成および／またはサンプリングされた音波形の伝送を起動するために、信号処理および処理段階の出力を使用する任意選択のディジタル波形記憶装置および伝送装置も含まれてもよい。この出力信号は、受け取った入力信号を可聴音に変換する音楽のアンプおよび／またはスピーカーシステムなどの、動作可能に連結した音響生成装置への入力を提供するのに適している。
【００１９】
装置の好ましい方式において、上部の平坦な表面およびシャーシのその他の部品は、振動および音をよく伝導して、動作可能に連結した信号発生部品に伝える、木材またはプラスチックなどの材料から形成される。本明細書の装置の平坦な上面が、少なくとも使用者がかかとからつま先まで連続した平坦な表面によって支持された両足で自然なスタンスで立つことができるだけ十分に大きく、外周領域によって囲まれているため、大きな実用性が提供される。パーカッションに使用される出力信号を発生させるための、平坦な表面上に立ちながら、平坦な表面を見るまたはバランスを心配することなく、同時に両足のつま先部、かかと部、およびすべての足部を使用する使用者の能力により、使用者は、両手の使用および手動の機器の演奏への集中が可能となる。さらに、使用者の足で使用される中央領域を囲む平坦な表面の外周領域は、かかとまたはつま先のタップなど横移動を可能とし、よって、好ましい。
【００２０】
感知部品によって発生する信号の調整による、出力信号減衰の別の方法において、平坦な上面間の装置の内部は、着目する変換器などの信号発生部品の作動位置に対応するためにチャンバが作られてもよい。あるいは、シャーシの内部領域は、異なる内部区画に分割、または振動的に区分されてもよい。これにより、各区分された信号発生装置と通信する平坦な上面との足またはその他の接触が、別々に認識および解釈される。異なる機器のこの分離および作動は、信号発生部品の位置の選択、その物理的分離、信号発生部品間への減衰材の包含によって提供および増強も可能であり、その作業に適合するソフトウェアおよびリレーおよびフィルタおよびその他によって使用可能である。
【００２１】
装置は、本明細書の任意の方式で機能するために、搭載電力が必要な場合、それは、ＡＣ電源またはアダプタからのケーブル、またはバッテリーなどの搭載蓄電装置を使用する従来の方法で伝えられてもよい。
【００２２】
上記の説明に関して、本明細書に開示される発明の少なくとも１つの好ましい実施形態を詳細に説明する前に、本発明は、以下の説明または図面で示される構造の詳細、および部品の構成への適用に限定されないかことが、理解されるべきである。また、さまざまな方式および組合せで本明細書に記載および開示される装置は、その他の実施形態、ならびに、当業者にとって明らかであるさまざまな方法で実施および実行されることが可能である。当業者に想到されるこのような代替的な構成は、本特許の範囲内であると考えられる。また、本明細書に使用される表現および用語は、説明を目的としたものであり、限定とみなすべきではないことも、理解されるべきである。
【００２３】
よって、当業者には明らかなように、この開示が基づく概念は、本開示の装置のいくつかの目的を実行するための、他の平坦な両足のトリガー、ならびに音楽発生構造、方法、およびシステムの設計の基礎として、容易に利用されてもよい。したがって、特許請求の範囲が、本発明の精神および範囲から逸脱しない範囲において、このような均等の構造および方法を含むとみなされることは、重要である。
【００２４】
独立した機器を演奏するために手を使用しながら、最も自然でリズミカルな計時動作の１つである、足のタップを可能とし、音楽の伴奏の容易な生成を可能とすることが、本発明の目的である。
【００２５】
形状が平坦で、床面を再現していて、立っているまたは座っている自然な姿勢で、使用者が水平な両足で表面上に立つことができるように構成される楽器を提供し、平坦な表面が衝撃を受けたとき、装置から発する音を増幅および変更することが、本発明の別の目的である。
【００２６】
以下の説明から明らかになるであろう、本発明のこれらおよびその他の目的、機能、および利点、ならびに既存の従来技術を上まわるその利点は、本明細書に記載され、本発明を完全に開示する以下の詳細な説明で以下に記載される改善によって達成されるが、その上に制限を設けると解釈されるべきではない。
【００２７】
本明細書に組み込まれて、明細書の一部を形成する添付図面がいくつか示されるが、開示の装置の実施形態および／または機能の、唯一の例または限定する例ではない。本明細書に開示される実施形態および図は、任意の方法における限定というよりはむしろ、本発明の例示と考えることが意図されている。
【図面の簡単な説明】
【００２８】
【図１】図１は、装置の平坦な表面の中央領域に位置する両足で、操作位置に立っている音楽の演奏者を示す。
【図２】図２は、従来技術の一般的な音響バスドラムペダルを示す。
【図３】図３は、装置を構成する１つの好ましい方式の分解組立図の例を示す。
【図４】図４は、右の信号発生部品が緩衝装置によって左の信号発生部品と切り離されている装置の方式を示す。
【図５】図５は、区域の溝または間隔によりその他の象限から物理的に分割することができる象限に配置される電子信号発生部品として機能する変換器を有する装置を示す。
【図６】図６は、装置のアナログ信号処理および処理段階を示す概略ブロック図である。
【図７】図７は、変換器またはその他の信号発生器から発生する電子信号を処理して、衝撃速度が異なる音を発生できるＭＩＤＩ処理を使用するディジタル方式を示す。
【図８】図８は、公演ステージ床面に直接構築される装置を示す。
【図９】図９は、アナログディジタル信号変換および装置からディジタル的にサンプリングされた音の伝送を示す概略ブロック図を示す。
【発明を実施するための形態】
【００２９】
ここで、図１〜９の図面を参照すると、同様の部品は同一符号数字によって識別され、図１では、上部平坦な表面１１で構成される装置があり、平坦な表面１１に足を接触する準備ができている装置１０の使用される方式において、静止位置で立っている使用者１５の両足を収容する大きさの中央領域１７を有する装置がみられる。米国の大人の靴は、個人のそれぞれの靴のサイズに応じて、約８インチから１５インチの長さにわたる。したがって、ほぼ１５〜１６インチの中央領域１７は、大部分の使用者の靴をはいた足を収容する。
【００３０】
平坦な表面１１のこの中央領域１７を囲む外周領域１９も、好ましくは提供され、中央領域１７に立つ使用者１５は、両足でバランスをとって、快適であり、使用者１５は使用中、中央領域１７で平坦な表面１１にタップまたは接触することができ、または、使用者１５が横移動を好む場合、外周領域１９で平坦な表面１１に接触することができる。多くの使用者１５は、それぞれの足の下で直接平坦な表面１１をタップすることができるが、多くの場合、元の姿勢から横方向にタップする傾向があっても、またはいくつかの種類の音楽にあわせて変更してもよく、したがって、中央領域１７および外周領域１９の両方が好ましい。
【００３１】
開示された目的に対して構成される現在の全体サイズは、実験によりうまく作動することが示されており、使用者１５の両足が動く想像線に沿った１９〜３０インチの幅の間にあり、想像線に直交する１０〜２０インチの間の長さ寸法を有する。しかし、使用者１５はあらゆるサイズで存在し、バランスを維持するための平坦な表面１１の十分な領域で、平坦な表面１１に衝撃を与えるための足の動きに関して自身の快適なゾーンを有するため、装置１０を複数のサイズで提供し、使用時の平坦な表面１１との足の接触についての自身のスタイルに応じて、使用者が選択してもよい。現在、少なくとも、かかとからつま先までの使用者の足の長さである中央領域１７は、上述のとおりほぼ８〜１５インチで、最小サイズであり、理想的には、少なくとも４〜６インチの幅の外周領域１９が提供できる。
【００３２】
このサイズ設定により、大部分の使用者１５は、手動機器を使用しながら、中央領域１７でバランスをとって、通常の直立姿勢で足を離して立つことができ、そして、片足または両足で平坦な表面１１に衝撃を与えることによって装置１０を操作する足を動かして、両足の前部、後部、またはすべて足の面を個々に使用でき、平坦な表面１１に接触して、その結果、そこから下にある信号発生部品に振動および音を伝えることができる。
【００３３】
図２を参照すると、手で音楽を演奏している間に、ドラムを操作するためのペダルを使用することに関する従来技術が示される。このようなペダルは、弦楽器を演奏すると同時にドラム音に提供するために、「ワンマンバンド」によって使用されている。図示のように、ペダルは、片足にのみ対応する斜面を有し、すでに傾斜位置にあるペダルを足で押し下げることにより、使用者がバランスを失う傾向がある。さらに、使用者は単音に限定される。
【００３４】
図３に示す装置１０の好ましい方式において、振動および／または音が伝えられると、出力電子信号を発生させる任意の電子部品でもよい信号発生部品２１。このような信号発生部品２１は、マイク、ギターなどのための磁気ピックアップ、および圧電力センサを含むが、これらに限定されず、当業者に想到されるその他のものは本特許の範囲内であると考えられる。
【００３５】
図３〜５において、電子信号発生部品２３は、圧電力センサ２３として示される。図３において、圧電力センサ２１は、装置１０の単純な方式において、対として配置されるが、単一の圧電力センサ２３もこの方式で作動する。両方の圧電力センサ２３からの出力信号は、アンプおよびスピーカなどの電子装置への一般的な出力信号に送られ、使用者の平坦な表面１１との接触に対する音を作成する。
【００３６】
図４に、使用者が各足を使用できる装置１０の方式が示され、平坦な表面１１とのそれぞれの接触によって、複数の圧電力センサ２３が左右の出力フィードに送られ、異なる音が発生する。基底部１８上の位置における圧電力センサ２３の単純な分離により、独立した出力が作成される。しかし、さらなる分離は、基底部１８の区域の間に形成されたギャップ２０によって提供できる。さらに、それぞれの左右の圧電力センサ２３からの信号のさらなる分離は、基底部１８の両半分の間で振動および音響の伝達を妨げるギャップ２０に、制振材２５を配置することによって実現できる。このような材料は、振動が、反対側の電子信号発生装置に伝えられることからの平坦な表面１１の片側と接触しないよう遮ることに適する任意の材料でもよい。それは、ゴム、高分子材料、プラスチック材料、セラミック材料、ガラス繊維、金属化ガラス繊維、ｓｏｒｂｅｔｈａｎｅ、独立および連続気泡発砲体、またはこれらの材料を組み合わせた混合物のような制振材、あるいは、振動および音の伝導特性を変える、または低下させる、または増加させる、異なるデュロメータおよび減衰効果のその他の制振材を含むグループから、上部平坦な表面１１の区域と平坦な表面１１に振動伝達するすべての信号発生部品２１との間の空間に、１つまたは複数の材料を含むことができる。
【００３７】
装置のこの二出力方式は、その２つの異なる機器、たとえばバスドラムにおける、装置１０に対する著しい強化であり、分離は、それぞれ左右の足を使用することにより、使用者１５によって制御できる。したがって、基底部１８において圧電力センサ２３と振動伝達する上部平坦な表面１１の部分との左右の足による接触は、分離独立した信号を作成し、それぞれが、独立した音を演奏するために電子的に送られてもよい。
【００３８】
ギャップ２０および／または制振材２５などを有する、分離が強化される方式において、使用者の足の上部平坦な表面１１との接触の加速は、異なる音および音量の特性を、発生する音に与えるために使用できる。
【００３９】
図５に示すように、装置１０は、基底部品１８の象限または区域３０に配置される圧電力センサ２３として示される複数の信号発生器を使用してもよい。示すように、装置１０は圧電力センサ２３などの信号発生部品２１を有し、それは基底部１８の表面を部分に分けることによって形成される区域３０に配置され、上部１４が上部平坦な表面を形成する。この部分化は、圧電力センサ２３などの信号発生部品２１を、互いから、および、切り離されている場合は上部１４の異なる区域から、部分的にまたは完全に孤立させるように機能する。
【００４０】
装置の任意の象限方式において、上部平坦な表面１１上の片足によるタップは、象限がその他の象限から十分に振動的に分離されることにまさり、電子信号は、タップされた象限に対応する信号発生部品によって発生する。ソフトウェア、または信号発生部品２１からの複数の電子信号で最も強いもののみ伝える作業に適合するハードウェアを使用して、所定の時間において、装置１０は、別々に切り換えるために、各象限を使用することができる。
【００４１】
区域３０は４つに限定されず、作業に適合する任意の数とすることができる。さらに、信号発生部品２１は、個々の区域３０において、別個の音を発生させるために配線されたマイク、圧電力センサ、および磁気ピックアップを含む任意のグループを取り付けることによって、部分に分けられた方式に組み合わせる、または適合させてもよい。上記のように、図６は、装置のその他の電子部品に、および、それを通って動作可能に構成される回路を示す概略ブロック図である。部品は、フィルタ、信号利得、前置増幅器、ノイズ低減処理、信号リミッタ、残響または遅れなどのアナログまたはディジタル効果、あるいはその他の信号プロセスおよび／または効果の、１つまたは組合せを含んでもよい。信号の処理の流れは、任意の命令で処理されてもよく、図示された流れは、例示のためのものであり、本発明の範囲の限定を意図するものではない。
【００４２】
図７は、電子信号発生器から発生する電子信号を処理して、装置のＭＩＤＩ処理を使用するディジタル方式を示す。
【００４３】
図８は、生の公演ステージの表面に直接構築される装置を示す。本発明は、ギターケースなどの他の物の中にも考案および作成できる。
【００４４】
図９は、装置のアナログディジタル信号変換段階、ならびにディジタル波形記憶および伝送部品を対象とする、上部平坦な表面１１上で使用者の片足または両足によって発生する信号発生部品の電子信号を示す概略ブロック図を示す。示すように、信号処理段階の出力は、ディジタル的に合成および／またはサンプリングされた音波形の伝送を起動させるように調整される。ディジタル波形記憶および伝送部品の出力は、音楽のアンプおよび／またはスピーカーシステムなどの音響生成部品への入力に適切な信号である。任意選択的に、出力された信号は、装置１０から有線または無線手段で伝えられるように構成されてもよい。
【００４５】
前述のように、任意の異なる構成および部品が、本明細書に示され、記載される任意の他の構成または部品とともに使用できる。さらに、本発明は、その特定の実施形態を参照して本明細書に記載され、製造方法の工程、修正の許容範囲、さまざまな変更形態および置換形態が、上述の開示において意図されるが、いくつかの例において、本発明の構造のいくつかの機能、または構成、または工程は、以下の特許請求の範囲に記載した本発明の範囲を逸脱しない範囲で、対応するその他の機能を使用することなく、使用できることが理解されるであろう。当業者に想到されるすべてのこのような変更形態、交替形態、および修正形態は、特許請求の範囲で広く定義されるように、本発明の範囲内であると考えられる。
【００４６】
さらに、本明細書の要約の目的は、アメリカ合衆国特許商標庁（Ｕ．Ｓ．Ｐａｔｅｎｔ  ａｎｄ  Ｔｒａｄｅｍａｒｋ  Ｏｆｆｉｃｅ）と、一般国民と、特に特許または法律用語または専門語に慣れていない当業の科学者、技術者、および個人経営者が、大まかな点検を行うだけで、本出願の技術的な開示の性質および本質をすばやく見極められるようにすることである。このような要約は、特許請求の範囲によって評価される本出願の発明を定義することを意図したものでも、またいかなる意味においても本発明の範囲に関して限定を与えることを意図したものでもない。
【図１】
2015520874.tif 000003
【図２】
2015520874.tif 000004
【図３】
2015520874.tif 000005
【図４】
2015520874.tif 000006
【図５】
2015520874.tif 000007
【図６】
2015520874.tif 000008
【図７】
2015520874.tif 000009
【図８】
2015520874.tif 000010
【図９】
2015520874.tif 000011
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
音響発生装置において、
振動伝導性のある平坦な表面を有する本体と、
前記振動伝導性のある平坦な表面と振動伝達する電気音響変換器とを備え、
前記振動伝導性のある平坦な表面が、前記振動伝導性のある平坦な表面の第１の部分で支持される静止位置に、両足で使用される姿勢で使用者がその上に立っている間、前記使用者の重量に耐えるように構成され、
前記電気音響変換器が、機械的振動が、前記両足の一方の前記振動伝導性のある平坦な表面との接触から、前記振動伝導性のある平坦な表面によって伝導した波形を検出し、前記機械的振動を電子信号に変換し、前記電子信号が、前記電子信号に相関する楽音を作成するための電子音発生システムに伝えられ、
前記使用される姿勢の前記使用者は、前記振動伝導性のある平坦な表面に対して前記両足の一方をタップすることで、前記接触を前記振動伝導性のある平坦な表面に与えることによって、または、そうでない場合、前記静止位置から前記両足の一方の全体または一部を持ち上げ、続いて、前記接触を前記振動伝導性のある平坦な表面に与えることによって、前記楽音を発生させてもよい、
ことを特徴とする音響発生装置。
【請求項２】
請求項１に記載の音響発生装置において、
前記両足の、または、前記両足の一方にそれぞれ係合する一足の靴の、すべての底面全体で接触する大きさの前記振動伝導性のある平坦な表面の前記第１の部分の長さをさらに備える、
ことを特徴とする音響発生装置。
【請求項３】
請求項１に記載の音響発生装置において、
複数の前記電気音響変換器と、
前記両足の第１の足から前記接触を受ける前記振動伝導性のある平坦な表面の第１の部分との振動伝達の第１の切り離された位置に配置される第１の電気音響変換器と、
前記両足の第２の足から前記接触を受ける前記振動伝導性のある平坦な表面の第２の部分との振動伝達の第２の切り離された位置に配置される第２の電気音響変換器ｅｅｍｐｅｎｅｎｔｓとをさらに備え、
前記第１の電気音響変換器が、前記第１の足の前記接触によって発生する振動を、第１の電子信号に変換し、
前記第２の電気音響変換器が、前記第２の足の前記接触によって発生する振動を、第２の電子信号に変換し、
前記第１の電子信号および前記第２の電子信号が、前記第１の電子信号に相関する第１の楽音を作成するため、および、前記第２の電子信号に相関する第２の楽音を作成するために、前記電子音発生システムに伝えられ、
前記使用者は、前記第１の足で前記接触を前記振動伝導性のある平坦な表面に与えることによって、前記第１の楽音を発生させることができ、
前記使用者は、前記第２の足による、前記振動伝導性のある平坦な表面への前記接触で前記第２の楽音を発生させることができる、
ことを特徴とする音響発生装置。
【請求項４】
請求項３に記載の音響発生装置において、
前記第１の足のつま先端部から前記接触を受ける第１の前部を有し、前記第１の足のかかと端部から前記接触を受ける第１の後部を有する前記第１の部分と、
前記第１の足の前記つま先端部からの前記接触からの振動を、前記第１の電子信号に変換する前記第１の電気音響変換器と、
前記第１の前記かかと端部による前記接触からの振動を、第３の前記電子信号に変換する前記第１の電気音響変換器と、
前記第２の足のつま先端部から前記接触を受ける第２の前部を有し、前記第２の足のかかと端部から前記接触を受ける第１の後部を有する前記第２の部分と、
前記第２の前記つま先端部からの接触からの振動を、前記第２の電子信号に変換する前記第２の電気音響変換器と、
前記第２の足の前記かかと端部からの前記接触からの振動を、第４の前記電子信号に変換する前記第２の電気音響変換器と、
前記第１の電子信号に相関する第１の楽音の作成、および前記第２の電子信号に相関する第２の楽音の作成、および前記第３の電子信号に相関する第３の楽音の作成、および第４の電子信号に相関する第４の楽音の作成のために、前記電子音発生システムに伝えられる前記第１の電子信号および前記第２の電子信号および前記第３の電子信号および前記第４の電子信号とをさらに備え、
前記使用者が、前記振動伝導性のある平坦な表面との、前記第１の足または前記第２の足の前記接触によって、任意の前記第１、第２、第３、または第４の楽音を発生できる、
ことを特徴とする音響発生装置。
【請求項５】
足踏みまたはタップによる音楽家の足の衝撃を検出するための音響機器において、
前記音響機器は、
振動伝導表面に前記足の前記衝撃を与える前記音楽家に反応して振動する振動伝導表面であって、前記音楽家の重量を支持するように構成される前記振動伝導表面と、
前記振動伝導表面と振動伝達する電気音響変換器とを備え、
前記電気音響変換器は、前記足の前記衝撃によって引き起こされる、前記振動伝導表面を通して伝導される機械的振動の波形を検出するように構成され、
前記電気音響変換器は、前記機械的振動を電気信号に変換し、
前記電気信号は、前記電気信号に相関する増幅された音を作成する音響生成部品に伝達される、
ことを特徴とする音響機器。
【請求項６】
請求項５に記載の音響機器において、
前記電気音響変換器は圧電センサである、ことを特徴とする音響機器。
【請求項７】
請求項５に記載の音響機器において、
前記振動伝導表面と振動伝達し、前記電気音響変換器から離れて間隔をあける第２の電気音響変換器をさらに備えることを特徴とする音響機器。
【請求項８】
請求項７に記載の音響機器において、
前記電気音響変換器は、前記第２の電気音響変換器から少なくとも部分的に機械的に分離され、前記第２の電気音響変換器は、前記機械的振動を第２の電気信号に変換する、ことを特徴とする音響機器。
【請求項９】
請求項７に記載の音響機器において、
前記振動伝導表面と、それぞれ振動伝達する第３の電気音響変換器および第４の電気音響変換器をさらに備え、
前記第３の電気音響変換器は、第４の電気音響変換器から離れて間隔をあけられ、
前記第３の電気音響変換器および前記第４の電気音響変換器は、前記電気音響変換器および前記第２の電気音響変換器から離れて間隔をあけられる、ことを特徴とする音響機器。
【請求項１０】
請求項５に記載の音響機器において、
前記振動伝導表面と前記基底表面との間のチャンバを定義する前記振動伝導表面から離れて、その下に間隔をとる基底表面をさらに備え、
前記電気音響変換器は前記チャンバ内に配置され、
前記基底表面はサポート面上の位置に適合する、ことを特徴とする音響機器。
【請求項１１】
請求項１０に記載の音響機器において、
前記チャンバは、減衰材によって切り離される第１のチャンバおよび第２のチャンバに分割され、
前記電気音響変換器は前記第１のチャンバ内に配置され、前記第２の電気音響変換器は前記第２のチャンバ内に配置され、
前記第２の電気音響変換器は、前記機械的振動を第２の電気信号に変換する、ことを特徴とする音響機器。
【請求項１２】
請求項５に記載の音響機器において、
前記振動伝導表面は、前記音楽家の両足を収容し、中央の足の位置から、左右、前後に踏み出すための追加スペースを有する、最小限の大きさである、ことを特徴とする音響機器。
【国際調査報告】
2015520874.tif 000012